(57)【特許請求の範囲】
【請求項１】
顧客と貨幣の取引をするための接客部と、前記貨幣を鑑別する鑑別部と、所定の要件に基づいて分類された前記貨幣をそれぞれ種別毎に収納する複数の収納部と、前記接客部、前記鑑別部、および前記各収納部の間で貨幣を搬送する搬送路と、からなる入出金機と、
装置内において取り扱う取扱貨幣を管理する本体制御部と、
を備え、
前記本体制御部は、
ユーザにより入力された前記取扱貨幣の設定情報を処理する設定処理部と、
前記設定処理部により処理された前記設定情報を記憶する記憶部と、
を有し、
前記設定処理部は、前記設定情報を、
当該装置で取り扱う取扱貨幣について、前記取扱貨幣の金額に関する分類情報である金種ＩＤと、使用される国・地域名と、金額とからなる取扱通貨情報と、
前記鑑別部で取り扱う取扱貨幣について、前記取扱貨幣の券の内容に関する分類情報である券種ＩＤと、使用される国・地域名と、金額と、前記取扱貨幣を収納する前記収納部を特定するグループ情報とからなる通貨鑑別情報と、
前記各収納部の用途を表す運用種別と、前記各収納部が取り扱う取扱貨幣をグループ化するための通貨グループとからなるカセット構成設定情報と、して前記記憶部に記憶させることを特徴とする、現金自動取引装置。
【請求項２】
前記設定処理部は、前記通貨鑑別情報としてさらに貨幣の発行年を管理することを特徴とする、請求項１に記載の現金自動取引装置。
【請求項３】
前記設定処理部は、前記通貨鑑別情報としてさらに貨幣の発行銀行を管理することを特徴とする、請求項１または２に記載の現金自動取引装置。
【請求項４】
前記入出金機は、
前記本体制御部の前記記憶部に記憶された取扱通貨情報、通貨鑑別情報、およびカセット構成設定情報を記憶するメモリと、
前記メモリに各種情報を記憶させ、前記入出金機を制御する設定部と、
を備えることを特徴とする、請求項１〜３のいずれか１項に記載の現金自動取引装置。
【請求項５】
前記接客部に入金する貨幣が投入されたとき、
前記鑑別部は、前記入金された貨幣を鑑別し、当該貨幣の券種ＩＤおよび当該券種ＩＤの貨幣数を鑑別結果として前記入出金機へ出力し、
前記入出金機の前記設定部は、前記メモリに記憶された通貨鑑別情報を参照して、鑑別結果として通知された券種ＩＤから当該券種ＩＤに対応する国・地域名、金額およびグループ情報を特定し、前記本体制御部に対して入金された貨幣の金種ＩＤおよび貨幣数を通知することを特徴とする、請求項４に記載の現金自動取引装置。
【請求項６】
前記本体制御部に対して通知した入金された貨幣の金種ＩＤおよび貨幣数が顧客により確定されたとき、
前記入出金機の前記設定部は、前記鑑別結果として取得した券種ＩＤに基づき、前記メモリを参照して、入金先の前記収納部を指定する前記グループ情報を特定し、前記メモリに記憶されたカセット構成設定情報を参照して、特定したグループ情報に対応する前記収納部を特定することを特徴とする、請求項５に記載の現金自動取引装置。
【請求項７】
顧客から貨幣の出金内容が入力されたとき、
前記本体制御部は、顧客が入力した国・地域毎の金額から出金する貨幣数を取扱通貨情報に基づき算出して、前記入出金機に対して出金する貨幣の金種ＩＤおよび貨幣数を通知し、
前記入出金機の前記設定部は、前記メモリの取扱通貨情報、通貨鑑別情報およびカセット構成設定情報に基づき出金対象の金種の貨幣が収納されている前記収納部があるか否かを確認して、前記出金対象の貨幣が収納されている収納部があるとき、指定された貨幣を前記収納部から繰り出して、前記搬送路を介して前記接客部へ搬送することを特徴とする、請求項４〜６のいずれか１項に記載の現金自動取引装置。
【請求項８】
前記設定部は、取扱通貨情報の金種ＩＤから国・地域および金額を特定し、前記特定された国・地域および金額に基づいて通貨鑑別情報からグループ情報を特定し、前記特定されたグループ情報からカセット構成設定情報から対応する前記収納部を特定して、出金対象の金種の貨幣が収納されている前記収納部があるか否かの確認を行うことを特徴とする、請求項７に記載の現金自動取引装置。
【請求項９】
前記グループ情報は、入金処理時の収納部を特定する入金グループと、出金処理時の収納部を特定する出金グループとからなることを特徴とする、請求項１〜８のいずれか１項に記載の現金自動取引装置。
【請求項１０】
顧客と貨幣の取引をするための接客部と、前記貨幣を鑑別する鑑別部と、所定の要件に基づいて分類された前記貨幣をそれぞれ種別毎に収納する複数の収納部と、前記接客部、前記鑑別部、および前記各収納部の間で貨幣を搬送する搬送路と、からなる入出金機と、
装置内において取り扱う取扱貨幣を管理する本体制御部と、
を備え、
前記本体制御部は、
ユーザにより入力された前記取扱貨幣の設定情報を処理する設定処理部と、
前記設定処理部により処理された前記設定情報を記憶する記憶部と、
を有し、
前記設定処理部は、前記設定情報として、
当該装置で取り扱う取扱貨幣について、使用される国・地域及び金額毎に券種ＩＤを設定し、複数の前記券種ＩＤをグループに分けてグループ情報を設定し、
該グループ情報と、前記複数の収納部と、前記複数の収納部の用途を表す運用種別とを関連付けた情報を、前記記憶部に記憶させることを特徴とする、現金自動取引装置。
【発明の詳細な説明】
【技術分野】
【０００１】
本発明は、現金自動取引装置における複数の国・地域の通貨を同時に取り扱うに現金自動取引装置および貨幣管理方法に関する。
【背景技術】
【０００２】
従来、１台の現金自動取引装置では、現金自動取引装置が使用される国・地域の通貨について、利用客に対して紙幣や硬貨を出金する出金機能や利用客が投入した紙幣や硬貨を入金する入金機能を備えている。例えば、特許文献１には、顧客と紙幣のやり取りを行う入出金口と、金種別に紙幣を収納しておく複数の紙幣カセットと、リジェクト紙幣を収納するリジェクトカセットと、各構成要素を接続する搬送路とからなる紙幣繰出し装置が開示されている。かかる紙幣繰出し装置では、カセットから繰り出した紙幣をそのまま入出金口に搬送し、出金している。
【先行技術文献】
【特許文献】
【０００３】
【特許文献１】特開平２−７５５５１号公報
【発明の概要】
【発明が解決しようとする課題】
【０００４】
しかし、上記特許文献１に記載の装置では、紙幣を鑑別する機能はなく、異なる国・地域の紙幣を区別することはできない。このため、かかる装置では１つの国・地域の通貨しか取り扱うことができず、複数の国・地域の通貨を同時に取り扱うことはできないという問題があった。また、同一の国・地域の通貨であっても、流通する紙幣や硬貨の発行年代や発行銀行の相違に応じてその取り扱いが異なることもあり、複数種類の紙幣や硬貨を管理する必要もあった。このため、従来は、各通貨に対してそれぞれ現金自動取引装置を用意したり、窓口で人手によって対応したりすることが必要であった。
【０００５】
そこで、本発明は、上記問題に鑑みてなされたものであり、本発明の目的とするところは、複数種類の通貨を管理することが可能な、新規かつ改良された現金自動取引装置および貨幣管理方法を提供することにある。
【課題を解決するための手段】
【０００６】
上記課題を解決するために、本発明のある観点によれば、顧客と貨幣の取引をするための接客部と、貨幣を鑑別する鑑別部と、所定の要件に基づいて分類された貨幣をそれぞれ種別毎に収納する複数の収納部と、接客部、鑑別部、および各収納部の間で貨幣を搬送する搬送路と、からなる入出金機と、装置内において取り扱う取扱貨幣を管理する本体制御部と、を備える現金自動取引装置が提供される。本体制御部は、ユーザにより入力された取扱貨幣の設定情報を処理する設定処理部と、設定処理部により処理された設定情報を記憶する記憶部と、を有し、設定処理部は、設定情報を、当該装置で取り扱う取扱貨幣について、取扱貨幣の金額に関する分類情報である金種ＩＤと、使用される国・地域名と、金額とからなる取扱通貨情報と、鑑別部で取り扱う取扱貨幣について、取扱貨幣の券の内容に関する分類情報である券種ＩＤと、使用される国・地域名と、金額と、取扱貨幣を収納する収納部を特定するグループ情報とからなる通貨鑑別情報と、各収納部の用途を表す運用種別と、各収納部が取り扱う取扱貨幣をグループ化するための通貨グループとからなるカセット構成設定情報と、して記憶部に記憶させることを特徴とする。
【０００７】
ここで、設定処理部は、通貨鑑別情報としてさらに貨幣の発行年を管理してもよい。
【０００８】
また、設定処理部は、通貨鑑別情報としてさらに貨幣の発行銀行を管理してもよい。
【０００９】
入出金機は、本体制御部の記憶部に記憶された取扱通貨情報、通貨鑑別情報、およびカセット構成設定情報を記憶するメモリと、メモリに各種情報を記憶させ、入出金機を制御する設定部と、を備えてもよい。
【００１０】
接客部に入金する貨幣が投入されたとき、鑑別部は、入金された貨幣を鑑別し、当該貨幣の券種ＩＤおよび当該券種ＩＤの貨幣数を鑑別結果として入出金機へ出力し、入出金機の設定部は、メモリに記憶された通貨鑑別情報を参照して、鑑別結果として通知された券種ＩＤから当該券種ＩＤに対応する国・地域名、金額およびグループ情報を特定し、本体制御部に対して入金された貨幣の金種ＩＤおよび貨幣数を通知してもよい。
【００１１】
ここで、本体制御部に対して通知した入金された貨幣の金種ＩＤおよび貨幣数が顧客により確定されたとき、入出金機の設定部は、鑑別結果として取得した券種ＩＤに基づき、メモリを参照して、入金先の収納部を指定するグループ情報を特定し、メモリに記憶されたカセット構成設定情報を参照して、特定したグループ情報に対応する収納部を特定してもよい。
【００１２】
また、顧客から貨幣の出金内容が入力されたとき、本体制御部は、顧客が入力した国・地域毎の金額から出金する貨幣数を取扱通貨情報に基づき算出して、入出金機に対して出金する貨幣の金種ＩＤおよび貨幣数を通知し、入出金機の設定部は、メモリの取扱通貨情報、通貨鑑別情報およびカセット構成設定情報に基づき出金対象の金種の貨幣が収納されている収納部があるか否かを確認して、出金対象の貨幣が収納されている収納部があるとき、指定された貨幣を収納部から繰り出して、搬送路を介して接客部へ搬送してもよい。
【００１３】
ここで、設定部は、取扱通貨情報の金種ＩＤから国・地域および金額を特定し、特定された国・地域および金額に基づいて通貨鑑別情報からグループ情報を特定し、特定されたグループ情報からカセット構成設定情報から対応する収納部を特定して、出金対象の金種の貨幣が収納されている収納部があるか否かの確認を行ってもよい。
【００１４】
グループ情報は、入金処理時の収納部を特定する入金グループと、出金処理時の収納部を特定する出金グループとからなるようにしてもよい。
【００１５】
また、上記課題を解決するために、本発明の別の観点によれば、顧客と貨幣の取引をするための接客部と、貨幣を鑑別する鑑別部と、所定の要件に基づいて分類された貨幣をそれぞれ種別毎に収納する複数の収納部と、接客部、鑑別部、および各収納部の間で貨幣を搬送する搬送路と、からなる入出金機と、装置内において取り扱う取扱貨幣を管理する本体制御部と、を備え、本体制御部は、ユーザにより入力された取扱貨幣の設定情報を処理する設定処理部と、設定処理部により処理された設定情報を記憶する記憶部と、を有し、設定処理部は、設定情報として、当該装置で取り扱う取扱貨幣について、使用される国・地域及び金額毎に券種ＩＤを設定し、複数の券種ＩＤをグループに分けてグループ情報を設定し、該グループ情報と、複数の収納部と、複数の収納部の用途を表す運用種別とを関連付けた情報を、記憶部に記憶させることを特徴とする、現金自動取引装置が提供される。
【発明の効果】
【００１６】
以上説明したように本発明によれば、複数種類の通貨を管理することが可能な現金自動取引装置および貨幣管理方法を提供することができる。
【図面の簡単な説明】
【００１７】
【図１】複数の国・地域における通貨のイメージを示す説明図である。
【図２】本発明の各実施形態に係る現金自動取引装置における各国・地域の通貨の管理を説明する説明図である。
【図３】本発明の第１の実施形態に係る現金自動取引装置の機構構成を示す説明図である。
【図４】同実施形態に係る現金自動取引装置の機能構成を示す機能ブロック図である。
【図５】同実施形態に係る現金自動取引装置による取扱通貨の設定処理を示すフローチャートである。
【図６】取扱通貨設定ユーティリティの一例を示す説明図である。
【図７】取扱通貨設定テーブルの一構成例を示す説明図である。
【図８】通貨鑑別情報設定ユーティリティの一例を示す説明図であって、第１頁目の表示例である。
【図９】通貨鑑別情報設定ユーティリティの一例を示す説明図であって、第２頁目の表示例である。
【図１０】通貨鑑別情報設定テーブルの一構成例を示す説明図である。
【図１１】カセット構成設定ユーティリティの一例を示す説明図である。
【図１２】カセット運用種別ＩＤとその内容を示す説明図である。
【図１３】同実施形態に係る現金自動取引装置による入金処理を示すタイミングチャートである。
【図１４】入金内容確認画面の一例を示す説明図である。
【図１５】同実施形態に係る現金自動取引装置による出金処理を示すタイミングチャートである。
【図１６】出金内容入力画面の一例を示す説明図である。
【図１７】本発明の第２の実施形態に係る通貨鑑別情報設定ユーティリティを示す説明図であって、第１頁目の表示例である。
【図１８】同実施形態に係る通貨鑑別情報設定ユーティリティを示す説明図であって、第２頁目の表示例である。
【図１９】通貨鑑別情報設定テーブルの一構成例を示す説明図である。
【図２０】同実施形態に係る現金自動取引装置による入金処理を示すタイミングチャートである。
【図２１】同実施形態に係る現金自動取引装置による出金処理を示すタイミングチャートである。
【図２２】本発明の第３の実施形態に係る通貨鑑別情報設定ユーティリティを示す説明図であって、第１頁目の表示例である。
【図２３】同実施形態に係る通貨鑑別情報設定ユーティリティを示す説明図であって、第２頁目の表示例である。
【図２４】通貨鑑別情報設定テーブルの一構成例を示す説明図である。
【図２５】同実施形態に係る現金自動取引装置による入金処理を示すタイミングチャートである。
【図２６】同実施形態に係る現金自動取引装置による出金処理を示すタイミングチャートである。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．現金自動取引装置の機能概要＞
まず、図１および図２に基づいて、本発明の各実施形態に係る現金自動取引装置の機能の概要を説明する。なお、図１は、複数の国・地域における通貨のイメージを示す説明図である。図２は、本発明の各実施形態に係る現金自動取引装置における各国・地域の通貨の管理を説明する説明図である。
【００２０】
本実施形態に係る現金自動取引装置は、複数の国・地域における通貨を１台でまとめて管理可能な装置である。図１に示すように、世界の国・地域では各国・地域で使用する通貨が異なっており、各国・地域では使用されている通貨を用いる必要がある。例えば、ＡＡ地域の通貨単位は「ｍｕＡ」であり、５００ｍｕＡ、２００ｍｕＡ、１００ｍｕＡ、５０ｍｕＡ、２０ｍｕＡ、１０ｍｕＡ、５ｍｕＡの通貨が使用されている。また、ＢＢ国の通貨単位は「ｍｕＢ」であり、５０００ｍｕＢ、１０００ｍｕＢ、５００ｍｕＢ、１００ｍｕＢ、５０ｍｕＢ、１０ｍｕＢの通貨が使用されている。同様に、ＣＣ国では通貨単位「ｍｕＣ」の通貨が、ＤＤ国では通貨単位「ｍｕＤ」の通貨が、ＥＥ国では通貨単位「ｍｕＥ」の通貨が、ＦＦ国では通貨単位「ｍｕＦ」の通貨が、それぞれ使用されている。
【００２１】
また、ＢＢ国、ＣＣ国、ＤＤ国、ＥＥ国、ＦＦ国では発行年代の異なる通貨が流通している。このうち、ＢＢ国、ＣＣ国、ＦＦ国では同一額面の通貨で発行年代の異なる通貨が流通している。このように、各国・地域によって通貨単位や発行年代の異なる複数種類の通貨が使用されている。このため、以下のようなニーズにより、１台の現金自動取引装置での複数の国・地域の複数種類の通貨の同時取り扱いが要求されている。
【００２２】
（１）自国の通貨を入金して他国の通貨を出金して所持する（例：元を入金してドルとユーロを出金する）
（２）改札周期が短い（例えば１回／２〜３年）国での他年代にわたる通貨を同時に取り扱う（例：２００８年発行通貨および２０１０年発行通貨は入出金可能だが、２００５年発行通貨は回収のため入金のみ可能）
（３）額面および発行年代は同一であるが、発行銀行が異なる通貨を同時に取り扱う（例：Ａ銀行２０１０年発行通貨はリサイクルし、Ｂ銀行２０１０年発行通貨は流通量が少ないためリサイクルしない）
【００２３】
複数種類の通貨を現金自動取引装置で取り扱う場合、従来は図２に示すように各国・地域についてそれぞれ現金自動取引装置を設置する必要がある。これに対して、本実施形態に係る現金自動取引装置では、各国・地域の通貨を１台で取り扱い可能とする。以下、本実施形態に係る現金自動取引装置の構成とこれによる通貨管理方法について詳細に説明していく。
【００２４】
＜２．第１の実施形態＞
［２−１．現金自動取引装置の構成］
（２−１−１．現金自動取引装置の機構構成）
まず、図３に基づいて、本発明の第１の実施形態に係る現金自動取引装置の機構構成について説明する。なお、図３は、本実施形態に係る現金自動取引装置１の機構構成を示す説明図である。また、以下においては、現金自動取引装置１で取り扱う通貨は紙幣とする。
【００２５】
本実施形態に係る現金自動取引装置１は、図３に示すように、接客部１０と、一時保留部２０と、鑑別部３０と、搬送路４０と、第１〜第５の収納部５１〜５５と、特殊紙幣収納部６０、７０と、媒体検知センサ８０ａ〜８０ｓと、モータ９０ａ〜９０ｃとからなる。
【００２６】
接客部１０は、顧客の入金する紙幣の分離または顧客に出金する紙幣の集積を行う。接客部１０は入金された紙幣を繰出す繰出機構および出金された紙幣を集積する集積機構を有する接客口を有しており、接客口には顧客からの紙幣の投入時および顧客への紙幣の引渡し時等に開閉するシャッタが設けられている。接客部１０は、接客口と他の機能部とが搬送路４０によって接続されている。接客口に投入された紙幣は、搬送路４０を介して一時保留部２０、鑑別部３０、第１〜第５の収納部５１〜５５、あるいは特殊紙幣収納部６０に搬送される。また、紙幣の出金時には、一時保留部２０、鑑別部３０、第１〜第５の収納部５１〜５５、あるいは特殊紙幣収納部６０から接客部１０へ、搬送路４０を介して紙幣が搬送される。
【００２７】
一時保留部２０は、顧客が入金した紙幣のうち正常と鑑別された紙幣を一時保留する。一時保留部２０に収納された紙幣は、搬送路４０を介して、接客部１０や第１〜第５の収納部５１〜５５、特殊紙幣収納部６０、７０へ搬送される。
【００２８】
鑑別部３０は、顧客の入金した紙幣または顧客に出金する紙幣を鑑別する。鑑別部３０は、例えば、紙幣の真偽や正損、金種等を識別したり、重送や連鎖、接近、スキュー等を検出したりする。また、鑑別部３０は、ＯＣＲ（Ｏｐｔｉｃａｌ  Ｃｈａｒａｃｔｅｒ  Ｒｅｃｏｇｎｉｔｉｏｎ）等の文字認識手段を用いて、搬送路を搬送されている紙幣の記番号を認識検出する記番号取得部としても機能する。
【００２９】
搬送路４０は、各接客部１０、一時保留部２９、鑑別部３０、第１〜第５の収納部５１〜５５、および特殊紙幣収納部６０、７０の間で、紙幣を双方向に搬送可能にする機構であって、例えばベルトやローラ等で紙幣を挟持して送り出す搬送機構と、当該搬送機構や搬送路の各分岐部に設けられ、紙幣の搬送方向を切替える切替機構等を駆動する駆動機構とからなる。搬送部４０を機能させることで、現金自動取引装置１を構成する各機能部間で紙幣を移動させることができる。
【００３０】
第１〜第５の収納部５１〜５５は、顧客の入金した紙幣および他の収納部から出金された紙幣を収納する。第１〜第５の収納部５１〜５５は、鑑別部３０により正常と判定された紙幣を、例えば金種別等で分類して収納する収納カセットである。各収納部５１〜５５には、紙幣を１枚毎に分離して繰出すと共に、搬送された紙幣を集積する分離集積機構を有している。
【００３１】
特殊紙幣収納部６０、７０は、入金時または出金時において検出された特殊な紙幣を収納する。特殊紙幣収納部６０、７０も第１〜第５の収納部５１〜５５と同様に構成することができ、紙幣を１枚毎に分離して繰出すと共に、搬送された紙幣を集積する分離集積機構を有している。
【００３２】
媒体検知センサ８０ａ〜８０ｓは、搬送路４０に付設され、搬送路４０を通過する紙幣を検出するセンサである。媒体検知センサ８０ａ〜８０ｓは、例えば搬送路４０を搬送されている紙幣の厚みを検出するセンサである。媒体検知センサ８０ａ〜８０ｓにより紙幣の厚みを検出させることで、紙幣の搬送状況に異常がないか確認することができ、その確認結果に応じて紙幣の搬送先を変更させることができる。
【００３３】
モータ９０ａ〜９０ｃは、一時保留部２０へ紙幣を集積させたり、一時保留部２０から紙幣を分離したりするために設けられる。
【００３４】
（２−１−２．現金自動取引装置の機能構成）
本実施形態に係る現金自動取引装置１の機能構成を図４に示す。現金自動取引装置１は、図４に示すように、当該装置１の電源１０２と、顧客に情報を提示するための表示装置であるＬＣＤ（Ｌｉｑｕｉｄ  Ｃｒｙｓｔａｌ  Ｄｉｓｐｌａｙ）１０４と、情報を入力する入力装置である操作部１０６とを備える。また、現金自動取引装置１は、装置１全体を制御する本体制御部１１０と、紙幣を管理する紙幣入出金機１２０と、キャッシュカードの情報を読み取るカードリーダ１３０や利用明細書を発行するレシートプリンタ１４０等も備えている。
【００３５】
本体制御部１１０は、図４に示すように、電源入力検出部１１１と、取扱通貨変更判定部１１２と、設定処理部１１３と、インタフェース部１１４と、ハードディスクドライブ１１５と、メモリ１１６と備える。
【００３６】
電源入力検出部１１１は、電源１０２のオンオフを検出する検出部である。電源入力検出部１１１は、検出結果を取扱通貨変更判定部１１２へ出力する。
【００３７】
取扱通貨変更判定部１１２は、現金自動取引装置１で取り扱う通貨の設定の変更の有無を判定する。取扱通貨変更判定部１１２は、行員から取り扱う通貨の設定変更の指示が操作部１０６から入力されたとき、設定処理部１１３に対して設定変更処理の開始を指示する。設定変更がない場合には、取扱通貨変更判定部１１２は、現在設定されている情報をメモリ１１６から取得して、インタフェース部１１４に対して紙幣入出金機１２０へ当該情報を出力するよう指示する。
【００３８】
設定処理部１１３は、取扱通貨変更判定部１１２からの指示を受けて設定変更処理を行う。設定処理部１１３により行われる設定変更処理として、現金自動取引装置１で取り扱う取扱通貨を設定する取扱通貨設定処理、通貨の鑑別情報を設定する通貨鑑別情報設定処理、および紙幣入出金機１２０のカセット構成を設定するカセット構成設定処理がある。設定処理部１１３は、各設定処理を実行して、設定された情報をメモリ１１６に記憶する。
【００３９】
インタフェース部１１４は、本体制御部１１０と紙幣入出金１２０との間で情報のやり取りを行う入出力部である。例えば、取り扱う通貨の設定が変更されない場合、取扱通貨変更判定部１１２はインタフェース部１１４を介して現在の設定情報を紙幣入出金機１２０へ出力する。また、例えば、設定処理部１１３は、インタフェース部１１４を介して新たに設定された情報を紙幣入出金機１２０へ出力する。
【００４０】
ハードディスクドライブ１１５は、現金自動取引装置１の本体制御部１１０にて実行される各種プログラム等を記憶する記憶部である。ハードディスクドライブ１１５に記憶されているプログラム等は、取扱通貨変更判定部１１２や設定処理部１１３により読み出され、実行される。
【００４１】
メモリ１１６は、取扱通貨変更判定部１１２や設定処理部１１３により実行される各種設定変更処理において、一時的に必要な情報を記憶する記憶部である。メモリ１１６には、例えば設定処理部１１３の処理にて変更された情報が記憶される。
【００４２】
紙幣入出金機１２０は、インタフェース部１２１と、設定部１２２と、メモリ１２３と、鑑別部１２４とを備える。
【００４３】
インタフェース部１２１は、本体制御部１１０と紙幣入出金１２０との間で情報のやり取りを行う入出力部である。インタフェース部１２１は、本体制御部１１０のインタフェース部１１４から受信した設定情報を設定部１２２へ出力したり、設定部１２２から出力された情報を本体制御部１１０へ送信したりする。
【００４４】
設定部１２２は、本体制御部１１０から受信した設定情報をメモリ１２３に記録し、鑑別部１２４へ出力する。また、設定部１２２は、本体制御部１１０に対し、設定情報を受信しメモリ１２３等に記録した旨を確認情報として出力する。
【００４５】
メモリ１２３は、設定情報を一時的に記憶する記憶部である。メモリ１２３は、例えば、本体制御部１１０から受信した設定情報が記憶される。
【００４６】
鑑別部１２４は、顧客の入金した紙幣または顧客に出金する紙幣を鑑別する機能部であり、図３に示した鑑別部３０に対応する。鑑別部１２４は、紙幣の真偽や正損、金種等を識別したり、重送や連鎖、接近、スキュー等を検出したりする鑑別処理部１２４ａと、種設定情報を記憶するメモリ１２４ｂとを備える。鑑別処理部１２４ａは、本体制御部１１０の指示を受けて搬送路４０を移動する紙幣の鑑別を行う。また、メモリ１２４ｂには、設定部１２２が本体制御部１１０から受信した設定情報が記憶される。
【００４７】
［２−２．現金自動取引装置の動作］
次に、図５〜図１６に基づいて、本実施形態に係る現金自動取引装置１による貨幣管理方法について説明する。本実施形態に係る貨幣管理方法により、複数の国・地域の複数種類の通貨を管理することが可能となる。以下、取扱通貨の設定処理、現金自動取引装置１による入金処理および出金処理について順に説明していく。
【００４８】
（２−２−１．取扱通貨の設定処理）
まず、図５〜図１２に基づいて、本実施形態に係る現金自動取引装置１による取扱通貨の設定処理について説明する。なお、図５は、本実施形態に係る現金自動取引装置１による取扱通貨の設定処理を示すフローチャートである。図６は、取扱通貨設定ユーティリティ３００の一例を示す説明図である。図７は、取扱通貨設定テーブルの一構成例を示す説明図である。図８および図９は、通貨鑑別情報設定ユーティリティ４００の一例を示す説明図である。図１０は、通貨鑑別情報設定テーブルの一構成例を示す説明図である。図１１は、カセット構成設定ユーティリティ５００の一例を示す説明図である。図１２は、カセット運用種別ＩＤとその内容を示す説明図である。
【００４９】
図５に示すように、現金自動取引装置１による取引通貨の設定処理は、当該装置１の電源１０２がオンになったことを電源入力検出部１１１が検出して開始される（Ｓ１００）。電源入力検出部１１１は、電源１０２がオンになったことを検出すると、取扱通貨変更判定部１１２に対して取扱通貨が変更されるか否かを確認する指示を出力する。取扱通貨変更判定部１１２は、電源入力検出部１１１からの指示を受けると、行員による操作部１０６からの入力情報を確認し、取扱通貨の変更の有無を判定する（Ｓ１０２）。
【００５０】
ステップＳ１０２にて取扱通貨を変更する入力情報があったと判定すると、取扱通貨変更判定部１１２は、設定処理部１１３に対して取扱通貨の設定変更処理を開始するよう指示する。当該指示を受けた設定処理部１１３は、行員による現金自動取引装置１の監査キーの操作を待って取扱通貨の設定変更処理を開始する。行員により監査キーが操作され、スーパーバイザーモードにされると（Ｓ１０４）、現金自動取引装置１の取扱が中止される。その後、設定処理部１１３は、取扱通貨設定ユーティリティ３００を起動する（Ｓ１０６）。
【００５１】
取扱通貨設定ユーティリティ３００が起動されると、行員により取扱通貨設定ユーティリティ３００を利用して取扱通貨の設定が行われる（Ｓ１０８）。取扱通貨の設定では、金種ＩＤ、国・地域名、および金額（額面）の設定が行われる。現金自動取引装置１で取り扱う通貨は、金種ＩＤというユニークな番号により管理される。金種ＩＤは、額面に基づき分類して付与される情報であって、本体制御部１１０と紙幣入出金機１２０との間で共通的に使用する番号である。この金種ＩＤに基づいて、顧客の入金した紙幣または顧客に出金する紙幣の取引結果のやり取りが行われる。金種ＩＤによって管理可能な通貨の数は適宜設定することが可能であり、例えば最大２５６種類の通貨を管理可能に設定することができる。
【００５２】
取扱通貨設定ユーティリティ３００は、例えば図６のように構成することができる。図６に示す取扱通貨設定ユーティリティ３００は、金種ＩＤ３１１に対して、現金自動取引装置１で取り扱う国・地域名３１２および金額３１３を設定可能に構成されている。国・地域名３１２は、例えば予め登録されている国・地域一覧から行員が選択することにより行われる。登録可能な国・地域の数は適宜設定可能であり、例えば最大２５６の国・地域を設定することができる。また、金額（額面）３１３は、行員が取扱通貨設定ユーティリティ３００の入力ボックス内に数値を入力することで設定できる。
【００５３】
国・地域名３１２および金額３１３の入力は、現金自動取引装置１にて取り扱う通貨の数だけ繰り返し行われる。設定された内容は、確定ボタン３３１を押下することで確定される。確定ボタン３３１が押下されると、設定処理部１１３は、設定した内容を取扱通貨情報として本体制御部１１０のメモリ１１６に記録する。また、設定処理部１１３は、取扱通貨情報を紙幣入出金機１２０へも出力し、紙幣入出金機１２０のメモリ１２３にも同様に記憶させる。これにより、本体制御部１１０のメモリ１１６および紙幣入出金機１２０のメモリ１２３には、金種ＩＤ３１１、国・地域名３１２および金額３１３が関連付けられた取扱通貨情報が、例えば図７に示すように記憶されることになる。すなわち、金種ＩＤ３１１に対して、国・地域名３１２および金額３１３が一意に定まるようになる。
【００５４】
なお、図６に示す取扱通貨設定ユーティリティ３００において、上ボタン３２１、右ボタン３２２、左ボタン３２３、下ボタン３２４は、国・地域名３１２のプルダウンや金額３１３の入力ボックス、各種ボタン３２１〜３２４、３３１〜３３４の選択位置を示すフォーカスを移動させるために用いるボタンである。また、取扱通貨設定ユーティリティ３００が複数ページにわたるときには、画面に全体ページ数および現在の現在表示ページを示すページ表示３２５を表示させてもよい。「前頁」ボタン３３２は、取扱通貨設定ユーティリティ３００が複数ページにわたるときに前ページの内容を表示させる際に用いるボタンであり、「次頁」ボタン３３３は、次ページの内容を表示させる際に用いるボタンである。「終了」ボタン３３４は、取扱通貨設定ユーティリティ３００を終了させるためのボタンである。
【００５５】
図５の説明に戻り、ステップＳ１０８の処理により取扱通貨情報が設定されると、設定処理部１１３は、通貨鑑別情報設定ユーティリティ４００を起動する（Ｓ１１０）。通貨鑑別方法設定ユーティリティ４００が起動されると、行員により通貨鑑別情報設定ユーティリティ４００を利用して通貨鑑別情報の設定が行われる（Ｓ１１２）。通貨鑑別情報の設定では、券種ＩＤ、国・地域名、金額（額面）、およびグループの設定が行われる。
【００５６】
現金自動取引装置１の紙幣入出金機１２０の鑑別部１２４で取り扱う通貨は、券種ＩＤというユニークな番号により管理される。券種ＩＤは、例えば発行年代等により分類される券（通貨）の種類に対して付与される情報であって、紙幣入出金機１２０と鑑別部１２４との間で共通的に使用する番号である。この券種ＩＤに基づいて、顧客の入金した紙幣または顧客に出金する紙幣の鑑別結果のやり取りが行われる。券種ＩＤによって管理可能な通貨の数は適宜設定することが可能であり、例えば最大２５６種類の通貨を管理可能に設定することができる。
【００５７】
通貨鑑別情報設定ユーティリティ４００は、例えば図８および図９のように構成することができる。図８および図９に示す通貨鑑別情報設定ユーティリティ４００は、券種ＩＤ４１１に対して、現金自動取引装置１で取り扱う国・地域名４１２および金額４１３を設定可能に構成されている。国・地域名４１２は、例えば予め登録されている国・地域一覧から行員が選択することにより設定が行われる。登録可能な国・地域の数は適宜設定可能であり、例えば最大２５６の国・地域を設定することができる。また、金額（額面）４１３は、行員が通貨鑑別情報設定ユーティリティ４００の入力ボックス内に数値を入力することで設定できる。
【００５８】
また、通貨鑑別情報設定ユーティリティ４００では、現金自動取引装置１で取り扱う金種ＩＤ４１１のうち複数通貨をまとめて取り扱うことが可能となるようにするためのグループ情報を設定する。グループ情報は、グループの内容を特定するためのグループ値を通貨鑑別情報設定ユーティリティ４００の入力ボックス内に行員が直接入力することで設定できる。グループ情報によって管理可能なグループの数は適宜設定することが可能であり、例えば最大２５６種類のグループを管理可能に設定することができる。
【００５９】
ここで、グループ情報には、出金グループ４１４と入金グループ４１５とがあり、それぞれ異なるグループ値を設定することも可能である。例えば、出金グループ４１４と入金グループ４１５とを異なる設定とすることで、出金する紙幣と入金された紙幣とを分離して管理することが可能となる。なお、グループ情報の内容についての説明は後述する。
【００６０】
国・地域名４１２、金額４１３、およびグループ情報４１４、４１５の入力は、現金自動取引装置１にて取り扱う通貨の数だけ繰り返し行われる。設定された内容は、確定ボタン４３１を押下することで確定される。確定ボタン４３１が押下されると、設定処理部１１３は、設定した内容を取扱通貨情報として本体制御部１１０のメモリ１１６に記録する。また、設定処理部１１３は、取扱通貨情報を紙幣入出金機１２０へも出力し、紙幣入出金機１２０のメモリ１２３および鑑別部１２４のメモリ１２４ｂにも同様に記憶させる（Ｓ１１４）。これにより、本体制御部１１０のメモリ１１６、紙幣入出金機１２０のメモリ１２３および鑑別部１２４のメモリ１２４ｂには、券種ＩＤ４１１、国・地域名４１２、金額４１３およびグループ情報４１４、１４５が関連付けられた通貨鑑別情報が、例えば図１０に示すように記憶されることになる。すなわち、券種ＩＤ４１１に対して、国・地域名４１２、金額４１３およびグループ情報４１４、４１５が一意に定まるようになる。
【００６１】
図１０に示す通貨鑑別情報では、６カ国３４種類の通貨が取扱可能に設定されている。ここで、券種ＩＤ「６」のＣＣ国金額１００の紙幣、券種ＩＤ「７」のＣＣ国金額５０の紙幣、券種ＩＤ「１２」のＢＢ国金額１０００の紙幣、券種ＩＤ「１７」のＡＡ国金額１００の紙幣、および券種ＩＤ「２１」のＤＤ国金額１０００の紙幣は、取引量（すなわち、入金や出金）が多く、リサイクルする必要があることから、他の紙幣とは異なるグループ情報４１４、４１５を付与している。他の紙幣については、取引量が少なく、リサイクルする必要がないことからグループ情報４１４、４１５は全て同一となっている。
【００６２】
なお、図８および図９に示す通貨鑑別情報設定ユーティリティ４００において、上ボタン４２１、右ボタン４２２、左ボタン４２３、下ボタン４２４は、国・地域名４１２のプルダウンや金額４１３、出金グループ４１４、入金グループ４１５の入力ボックス、各種ボタン４２１〜４２４、４３１〜４３４の選択位置を示すフォーカスを移動させるために用いるボタンである。また、通貨鑑別情報設定ユーティリティ４００が複数ページにわたるときには、画面に全体ページ数および現在の現在表示ページを示すページ表示４２５を表示させてもよい。「前頁」ボタン４３２は、通貨鑑別情報設定ユーティリティ４００が複数ページにわたるときに前ページの内容を表示させる際に用いるボタンであり、「次頁」ボタン４３３は、次ページの内容を表示させる際に用いるボタンである。「終了」ボタン４３４は、取扱通貨設定ユーティリティ４００を終了させるためのボタンである。
【００６３】
図５の説明に戻り、ステップＳ１１２の処理により通貨鑑別情報が設定されると、設定処理部１１３は、カセット構成設定ユーティリティ５００を起動する（Ｓ１１６）。カセット構成設定ユーティリティ５００が起動されると、行員によりカセット構成設定ユーティリティ５００を利用してカセット構成の設定が行われる（Ｓ１１８）。カセット構成の設定では、運用種別およびグループの設定が行われる。
【００６４】
現金自動取引装置１に実装されるカセット（例えば、第１〜第５の収納部５１〜５５や特殊紙幣収納部６０、７０）には、顧客の入金した紙幣または顧客に出金する紙幣を収納するリサイクルカセットや、顧客の入金した紙幣を金額にかかわらず収納する入金専用カセット（金種指定なし）、顧客の入金した紙幣を金種別に収納しておく入金専用カセット（金種指定あり）、顧客に出金する紙幣を収納する出金専用カセット、入金または出金で検出された特殊な紙幣を収納する特殊紙幣収納部等がある。カセット構成設定ユーティリティ５００では、カセット毎に、以下のようにカセット運用種別ＩＤおよび通貨グループが設定される。
【００６５】
カセット構成設定ユーティリティ５００は、例えば図１１のように構成することができる。図１１に示すカセット構成設定ユーティリティ５００は現金自動取引装置１に備えられた各カセット（Ａ〜Ｆ、Ｒカセット）に対して、カセット運用種別５１０および通貨グループ５２０を設定可能に構成されている。カセット運用種別５１０および通貨グループ５２０について、それぞれ現在の設定値が表示されるとともに（符号５１２）、新たに設定する値を入力する入力ボックス５１４が設けられている。
【００６６】
カセット運用種別５１０は、現金自動取引装置１に実装されるカセットの用途（運用種別）を表す値（カセット運用種別ＩＤ）を行員が入力することにより設定される。カセット運用種別ＩＤとその内容を図１２に示す。図１２に示すように、各カセット運用種別ＩＤ５１０に対してそれぞれカセットの用途が関連付けられている。カセット構成設定ユーティリティ５００にてカセット運用種別ＩＤ５１０を変更することで、そのカセットの用途を変更することができる。例えば、Ｅカセットについて、現在の設定はカセット運用種別ＩＤ「４」（入金専用庫（金種指定なし））であるが、新たにカセット運用種別ＩＤ「３」（リサイクル専用庫（金種指定あり））が設定され、その用途が変更される。
【００６７】
通貨グループ５２０は、現金自動取引装置１に実装されるカセットの用途（運用種別）に応じたグループ値を行員が入力することにより設定される。通貨グループ５２０は、通貨鑑別情報設定ユーティリティ４００にて設定したグループである。登録可能なグループ数は適宜設定可能であり、例えば最大８のグループを設定することができる。なお、通貨グループ５２０が複数設定されたカセットからは出金することはできない。
【００６８】
カセット運用種別ＩＤ５１０および通貨グループ５２０の入力は、現金自動取引装置１に実装されるカセットの数だけ繰り返し行われる。設定された内容は、確定ボタン５３１を押下することで確定される。確定ボタン５３１が押下されると、設定処理部１１３は、設定した内容をカセット構成設定情報として本体制御部１１０のメモリ１１６に記録する。また、設定処理部１１３は、カセット構成設定情報を紙幣入出金機１２０へも出力し、紙幣入出金機１２０のメモリ１２３にも同様に記憶させる（Ｓ１２０）。これにより、本体制御部１１０のメモリ１１６および紙幣入出金機１２０のメモリ１２３には、カセット運用種別ＩＤ５１０および通貨グループ５２０が関連付けられたカセット構成設定情報が記憶されることになる。すなわち、現金自動取引装置１に実装されるカセットに対して、カセット運用種別ＩＤ５１０および通貨グループ５２０が一意に定まるようになる。
【００６９】
なお、図１１に示すカセット構成設定ユーティリティ５００において、上ボタン５３１、右ボタン５３２、左ボタン５３３、下ボタン５３４は、カセット運用種別ＩＤ５１０および通貨グループ５２０の入力ボックス、各種ボタン５３１〜５３４、５４１、５４２の選択位置を示すフォーカスを移動させるために用いるボタンである。「終了」ボタン５４２は、カセット構成設定ユーティリティ５００を終了させるためのボタンである。
【００７０】
図５の説明に戻り、ステップＳ１２０の処理によりカセット構成設定情報が設定されると、取扱通貨の設定処理は完了する。その後、行員により現金自動取引装置１の監査キーが操作され、スーパーバイザーモードが解除されると（Ｓ１２２）、取扱通貨変更判定部１１２は、現金自動取引装置１の取扱を再開し、通常運用とする（Ｓ１２４）。
【００７１】
ステップＳ１０２で取扱通貨の変更があると判定された場合には上述のようにステップＳ１０４〜Ｓ１２２の処理が行われる。一方、ステップＳ１０２で取扱通貨の変更がないと判定された場合には、取扱通貨変更判定部１１２は、メモリ１１６に記憶されている現金自動取引装置１の現在の取扱通貨に関する通貨鑑別情報を、インタフェース部１１４を介して紙幣入出金機１２０へ出力する（Ｓ１２６）。本体制御部１１０から通貨鑑別情報を受け取った紙幣入出金機１２０は、メモリ１２３および監査部１２４のメモリ１２４ｂに通貨鑑別情報を記憶させる。
【００７２】
また、取扱通貨変更判定部１１２は、メモリ１１６に記憶されている現金自動取引装置１の現在のカセット構成設定情報を、インタフェース部１１４を介して紙幣入出金機１２０へ出力する（Ｓ１２８）。本体制御部１１０からカセット構成設定情報を受け取った紙幣入出金機１２０は、メモリ１２３にカセット構成設定情報を記憶させる。なお、ステップＳ１２６およびＳ１２８の処理は、逆の順序で行ってもよく、同時に行ってもよい。これらの情報が紙幣入出金機１２０に記憶されると、現金自動取引装置１は通常運用を開始する（Ｓ１２４）。
【００７３】
以上、本実施形態に係る現金自動取引装置１による取扱通貨の設定処理について説明した。
【００７４】
（２−２−２．現金自動取引装置の入金処理）
上述した取扱通貨の設定処理が完了すると、１台の現金自動取引装置１で設定した複数国・地域の複数種類の通貨を同時に取り扱うことが可能となる。まず、本実施形態に係る現金自動取引装置１による入金処理について、図１３および図１４に基づき説明する。なお、図１３は、本実施形態に係る現金自動取引装置１による入金処理を示すタイミングチャートである。図１４は、入金内容確認画面６００の一例を示す説明図である。
【００７５】
ここで、本実施形態では、現金自動取引装置１のカセットは、下記表１のように設定されているとする。
【００７６】
【表１】
0006019561.tif 000002
【００７７】
入金処理は、顧客が図３の接客部１０に紙幣をセットし、入金処理開始を指示することで開始される。入金処理開始の指示を受けると、紙幣入出金機１２０は、接客部１０にセットされた紙幣を１枚ずつ分離し、搬送路４０を介して鑑別部３０（図４の符号１２４に対応）へ搬送する。鑑別部３０は、搬送されてきた紙幣の金額（額面）、真偽、サイズ、厚さ等について鑑別する。接客部１０にセットされた全て紙幣について鑑別が終了すると、鑑別結果として、図１３に示すように、券種ＩＤと当該券種ＩＤの紙幣の枚数とが取得される。鑑別部１２４は、紙幣入出金機１２０に対して、鑑別結果、すなわち券種ＩＤとその枚数を通知する。
【００７８】
紙幣入出金機１２０は、メモリ１２３に記憶された通貨鑑別情報を参照し、鑑別結果として通知された券種ＩＤに基づいて当該券種ＩＤに対応する国・地域名、金額およびグループ情報を特定する。ここで、国・地域名および金額に対しては取扱通貨情報により金種ＩＤが一意に設定されているので、紙幣入出金機１２０は、メモリ１２３を参照して入金された紙幣の金種ＩＤを特定し、本体制御部１１０に対して入金された紙幣の金種ＩＤおよび枚数を通知する。
【００７９】
紙幣入出金機１２０より入金された紙幣の金種ＩＤおよび枚数の通知を受けた本体制御部１１０は、ＬＣＤ１０４を介して、入金した紙幣の金種および枚数が正しいか否かを顧客に確認する。入金金額の確認は、例えば図１４に示す入金内容確認画面６００により行うことができる。図１４に示す入金内容確認画面６００には、入金された紙幣の国・地域名６１１および金額６１２が表示される。図１４の例では、ＣＣ国の紙幣が５００ｍｕＣ、ＢＢ国の紙幣が１８０００ｍｕＢ、ＤＤ国の紙幣が１１００ｍｕＤ、ＥＥ国の紙幣が５５ｍｕＥ入金されたことがわかる。なお、ＡＡ地域およびＦＦ国の紙幣については入金されていない。
【００８０】
顧客は、入金内容確認画面６００に表示された入金金額を確認し、内容に誤りがなければ「確定」ボタン６２１を押下して、入金を確定させる。また、追加出入金を行いたい場合には、「追加」ボタン６２２を押下することで、接客部１０から紙幣を追加投入できるようになる。入金を中止する場合には「取消」ボタン６２３を押下することで入金処理を中止することができる。
【００８１】
顧客により「確定」ボタン６２１が押下されると、本体制御部１１０は紙幣入出金機１２０に対して投入された紙幣の収納処理開始の指示を行う。紙幣の収納処理開始の指示を受けると、紙幣入出金機１２０は、紙幣を収納するカセットを特定する。カセットの特定は、カセット構成設定情報に基づき行うことができる。すなわち、紙幣入出金機１２０は、鑑別結果として取得した券種ＩＤに基づき、メモリ１２３を参照して、入金先のカセットを指定する入金グループを特定する。そして、紙幣入出金機１２０は、メモリ１２３に記憶されたカセット構成設定情報を参照して、特定した入金グループに対応するカセットを特定する。
【００８２】
例えば、図１３に示すように、鑑別結果として券種ＩＤ「６」の紙幣が２枚入金されたことがわかっているとする。このとき、紙幣入出金機１２０は、メモリ１２３に記憶された通貨鑑別情報より、券種ＩＤ「６」の紙幣の入金グループが「２」であることを特定する。そして、紙幣入出金機１２０は、メモリ１２３に記憶されたカセット構成設定情報を参照して、入金グループ「２」のカセットが「Ｂカセット」であることを特定する。このようにして紙幣入出金機１２０は券種ＩＤ「６」の紙幣を収納するカセットが「Ｂカセット」であることを特定し、当該紙幣をＢカセットに収納する。
【００８３】
（２−２−３．現金自動取引装置の出金処理）
次に、本実施形態に係る現金自動取引装置１による出金処理について、図１５および図１６に基づき説明する。なお、図１５は、本実施形態に係る現金自動取引装置１による出金処理を示すタイミングチャートである。図１６は、出金内容入力画面７００の一例を示す説明図である。
【００８４】
出金処理は、顧客が操作部１０６を介して出金内容を入力することにより開始される。出金内容は、例えば図１６に示すような出金内容入力画面７００を用いて行うことができる。図１６に示す出金内容入力画面７００では、出金したい国・地域７１１の金額７１２を入力ボックスにて直接入力できるようになっている。顧客は、金額７１２を入力し、内容に誤りがなければ「確定」ボタン７２１を押下して、出金を確定させる。出金を中止する場合には「取消」ボタン７２２を押下することで出金処理を中止することができる。
【００８５】
顧客が出金内容を入力し出金処理が開始されると、本体制御部１１０は、顧客が入力した国・地域毎の金額から出金する紙幣の枚数を取扱通貨情報に基づき算出する。そして、本体制御部１１０は、紙幣入出金機１２０に対して出金する紙幣の金種ＩＤおよび枚数を通知する。例えば、紙幣入出金機１２０は、本体制御部１１０より「ＣＣ国の５０ｍｕＣ（金種ＩＤ＝６）を１０枚出金」という通知を受ける。
【００８６】
紙幣入出金機１２０は、本体制御部１１０より出金内容の通知を受けると、出金対象の金種の紙幣が収納されているカセットがあるか否かを確認する。当該確認は、メモリ１２３の取扱通貨情報、通貨鑑別情報およびカセット構成設定情報に基づき行うことができる。取扱通貨情報の金種ＩＤには国・地域および金額が関連付けられており、また、通貨鑑別情報の国・地域および金額に対してはグループ情報が関連付けられている。そして、カセット構成設定情報よりグループ情報に対応するカセットを特定することができる。
【００８７】
例えば、「ＣＣ国の５０ｍｕＣ（金種ＩＤ＝６）を１０枚出金」という通知に対して、紙幣入出金機１２０は、まず取扱通貨情報の金種ＩＤ「６」に関連付けられた国・地域名「ＣＣ」および金額「５０」を取得する。次いで、紙幣入出金機１２０は、通貨鑑別情報より、国・地域名「ＣＣ」、金額「５０」に関連付けられた出金グループ「２」を取得する。そして、紙幣入出金機１２０は、カセット構成設定情報より、出金グループ「２」に対応するカセットが「Ｂカセット」であることを特定する。
【００８８】
出金する紙幣が収納されているカセットを特定すると、紙幣入出金機１２０は、指定された枚数の紙幣をカセットから分離し、搬送路４０を介して接客部１０へ搬送する。
【００８９】
以上、本実施形態に係る現金自動取引装置１の構成とその動作について説明した。本実施形態によれば、上位装置と現金自動取引装置１との間で使用する金種ＩＤに国・地域および金額を関連付けて一意に設定するとともに、現金自動取引装置１の紙幣入出金機１２０と鑑別部１２４との間で使用する券種ＩＤに国・地域、金額、およびグループ情報を関連付けて一意に設定する。また、現金自動取引装置１に実装されるカセットに、カセット運用種別ＩＤと通貨グループとを関連付けて一意に設定する。このように情報を管理することで、複数国・地域の複数種類の通貨を１台の現金自動取引装置１で取り扱うことが可能となる。
【００９０】
＜３．第２の実施形態＞
次に、図１７〜図２１に基づいて、本発明の第２の実施形態に係る現金自動取引装置１の構成および動作について説明する。本実施形態に係る現金自動取引装置１は、第１の実施形態に係る現金自動取引装置１の機能に加えて、発行年代の異なる金額（額面）が同一の通貨を独立して取り扱うことができる。以下では、本実施形態に係る現金自動取引装置１について、第１の実施形態に係る現金自動取引装置１にさらに追加された機能について詳細に説明し、第１の実施形態に係る現金自動取引装置１と同一の構成・機能についての説明は簡潔に説明する。なお、図１７および図１８は、本実施形態に係る通貨鑑別情報設定ユーティリティ４００を示す説明図である。図１９は、通貨鑑別情報設定テーブルの一構成例を示す説明図である。図２０は、本実施形態に係る現金自動取引装置１による入金処理を示すタイミングチャートである。図２１は、本実施形態に係る現金自動取引装置１による出金処理を示すタイミングチャートである。
【００９１】
［３−１．現金自動取引装置の構成］
本実施形態に係る現金自動取引装置１は、第１の実施形態と同様、図３に示すように構成され、図４に示す機能を備えている。このため、ここでは、現金自動取引装置１の構成についての説明は省略する。
【００９２】
［３−２．現金自動取引装置の動作］
（３−２−１．取扱通貨の設定処理）
次に、本実施形態に係る現金自動取引装置１による取扱通貨の設定処理について説明する。本実施形態に係る現金自動取引装置１による取扱通貨の設定処理も、基本的には第１の実施形態と同様に図５に示すフローチャートに沿って行われるが、発行年代が異なる金額（額面）が同一の通貨を同時に取り扱うために、ステップＳ１１０およびＳ１１２の通貨鑑別情報処理のみ第１の実施形態と相違する。以下では、図５のフローチャートに沿って、通貨鑑別情報処理について詳細に説明する。
【００９３】
図５に示すように、現金自動取引装置１による取引通貨の設定処理は、当該装置１の電源１０２がオンになったことを電源入力検出部１１１が検出して開始される（Ｓ１００）。電源入力検出部１１１は、電源１０２がオンになったことを検出すると、取扱通貨変更判定部１１２に対して取扱通貨が変更されるか否かを確認する指示を出力する。取扱通貨変更判定部１１２は、電源入力検出部１１１からの指示を受けると、行員による操作部１０６からの入力情報を確認し、取扱通貨の変更の有無を判定する（Ｓ１０２）。
【００９４】
ステップＳ１０２にて取扱通貨を変更する入力情報があったと判定すると、取扱通貨変更判定部１１２は、設定処理部１１３に対して取扱通貨の設定変更処理を開始するよう指示する。当該指示を受けた設定処理部１１３は、行員による現金自動取引装置１の監査キーの操作を待って取扱通貨の設定変更処理を開始する。行員により監査キーが操作され、スーパーバイザーモードにされると（Ｓ１０４）、現金自動取引装置１の取扱が中止される。その後、設定処理部１１３は、取扱通貨設定ユーティリティ３００を起動する（Ｓ１０６）。
【００９５】
取扱通貨設定ユーティリティ３００が起動されると、行員により取扱通貨設定ユーティリティ３００を利用して取扱通貨の設定が行われる（Ｓ１０８）。取扱通貨の設定では、金種ＩＤ、国・地域名、および金額（額面）の設定が行われる。ステップＳ１０８の処理は第１の実施形態と同一であるため、ここでは詳細な説明を省略する。
【００９６】
ステップＳ１０８の処理により取扱通貨情報が設定されると、設定処理部１１３は、通貨鑑別情報設定ユーティリティ４００を起動する（Ｓ１１０）。通貨鑑別方法設定ユーティリティ４００が起動されると、行員により通貨鑑別情報設定ユーティリティ４００を利用して通貨鑑別情報の設定が行われる（Ｓ１１２）。通貨鑑別情報の設定では、券種ＩＤ、国・地域名、金額（額面）、発行年およびグループの設定が行われる。券種ＩＤ、国・地域名、金額（額面）、およびグループの設定は、第１の実施形態と同様に設定することができる。
【００９７】
本実施形態では、通貨鑑別情報として紙幣の発行年を管理することを特徴とする。発行年は、現金自動取引装置１で取り扱う券種ＩＤについて設定することができる情報であり、例えば西暦を情報として設定できる。発行年は、例えば図１７に示す通貨鑑別情報設定ユーティリティ４００の発行年４１６の入力ボックス内に行員が直接入力することで設定できる。
【００９８】
国・地域名４１２、金額４１３、発行年４１６、およびグループ情報４１４、４１５の入力は、現金自動取引装置１にて取り扱う通貨の数だけ繰り返し行われる。設定された内容は、確定ボタン４３１を押下することで確定される。確定ボタン４３１が押下されると、設定処理部１１３は、設定した内容を取扱通貨情報として本体制御部１１０のメモリ１１６に記録する。また、設定処理部１１３は、取扱通貨情報を紙幣入出金機１２０へも出力し、紙幣入出金機１２０のメモリ１２３および鑑別部１２４のメモリ１２４ｂにも同様に記憶させる（Ｓ１１４）。これにより、本体制御部１１０のメモリ１１６、紙幣入出金機１２０のメモリ１２３および鑑別部１２４のメモリ１２４ｂには、券種ＩＤ４１１、国・地域名４１２、金額４１３、発行年４１６、およびグループ情報４１４、１４５が関連付けられた通貨鑑別情報が、例えば図１９に示すように記憶されることになる。すなわち、券種ＩＤ４１１に対して、国・地域名４１２、金額４１３、発行年４１６、およびグループ情報４１４、４１５が一意に定まるようになる。
【００９９】
図１０に示す通貨鑑別情報では、６カ国３４種類の通貨について取扱可能に設定されており、同一金額（同一額面）で発行年代の異なる通貨まで詳細に分類すると、４４種類の通貨を取扱可能に設定されている。例えば、券種ＩＤ「１０」と「１１」に、ＣＣ国金額１００の紙幣が設定されている。券種ＩＤ「１０」の紙幣は２００４年発行であり、券種ＩＤ「１１」の紙幣は２００８年発行である。このうち、券種ＩＤ「１１」の２００８年発行の紙幣はリサイクルさせ、券種ＩＤ「１０」の２００４年発行の紙幣は回収するためリサイクルさせないことから、グループ情報４１４、４１５には異なる値が設定されている。
【０１００】
図５の説明に戻り、ステップＳ１１２の処理により通貨鑑別情報が設定されると、設定処理部１１３は、カセット構成設定ユーティリティ５００を起動する（Ｓ１１６）。カセット構成設定ユーティリティ５００が起動されると、行員によりカセット構成設定ユーティリティ５００を利用してカセット構成の設定が行われる（Ｓ１１８）。カセット構成の設定では、運用種別およびグループの設定が行われる。カセット構成の設定処理は第１の実施形態と同様であるため、ここでは詳細な説明を省略する。
【０１０１】
ステップＳ１２０の処理によりカセット構成設定情報が設定されると、取扱通貨の設定処理は完了する。その後、行員により現金自動取引装置１の監査キーが操作され、スーパーバイザーモードが解除されると（Ｓ１２２）、取扱通貨変更判定部１１２は、現金自動取引装置１の取扱を再開し、通常運用とする（Ｓ１２４）。
【０１０２】
ステップＳ１０２で取扱通貨の変更があると判定された場合には上述のようにステップＳ１０４〜Ｓ１２２の処理が行われる。一方、ステップＳ１０２で取扱通貨の変更がないと判定された場合には、取扱通貨変更判定部１１２は、メモリ１１６に記憶されている現金自動取引装置１の現在の取扱通貨に関する通貨鑑別情報を、インタフェース部１１４を介して紙幣入出金機１２０へ出力する（Ｓ１２６）。また、取扱通貨変更判定部１１２は、メモリ１１６に記憶されている現金自動取引装置１の現在のカセット構成設定情報を、インタフェース部１１４を介して紙幣入出金機１２０へ出力する（Ｓ１２８）。これらの処理は第１の実施形態と同様に行うことができる。そして、各情報が紙幣入出金機１２０に記憶されると、現金自動取引装置１は通常運用を開始する（Ｓ１２４）。
【０１０３】
以上、本実施形態に係る現金自動取引装置１による取扱通貨の設定処理について説明した。
【０１０４】
（３−２−２．現金自動取引装置の入金処理）
上述した取扱通貨の設定処理が完了すると、１台の現金自動取引装置１で設定した複数国・地域の複数種類の通貨を同時に取り扱うことが可能となる。さらに、同一の国・地域の、発行年の異なる同一金額の通貨も同時に、かつ独立して取り扱うことも可能である。まず、本実施形態に係る現金自動取引装置１による入金処理について、図２０に基づき説明する。
【０１０５】
ここで、本実施形態では、現金自動取引装置１のカセットは、下記表２のように設定されているとする。
【０１０６】
【表２】
0006019561.tif 000003
【０１０７】
入金処理は、顧客が図３の接客部１０に紙幣をセットし、入金処理開始を指示することで開始される。入金処理開始の指示を受けると、紙幣入出金機１２０は、接客部１０にセットされた紙幣を１枚ずつ分離し、搬送路４０を介して鑑別部３０（図４の符号１２４に対応）へ搬送する。鑑別部３０は、搬送されてきた紙幣の金額（額面）、真偽、サイズ、厚さ等について鑑別する。接客部１０にセットされた全て紙幣について鑑別が終了すると、鑑別結果として、図２０に示すように、券種ＩＤと当該券種ＩＤの紙幣の枚数とが取得される。鑑別部１２４は、紙幣入出金機１２０に対して、鑑別結果、すなわち券種ＩＤとその枚数を通知する。
【０１０８】
紙幣入出金機１２０は、メモリ１２３に記憶された通貨鑑別情報を参照し、鑑別結果として通知された券種ＩＤに基づいて当該券種ＩＤに対応する国・地域名、金額およびグループ情報を特定する。ここで、国・地域名および金額に対しては取扱通貨情報により金種ＩＤが一意に設定されているので、紙幣入出金機１２０は、メモリ１２３を参照して入金された紙幣の金種ＩＤを特定し、本体制御部１１０に対して入金された紙幣の金種ＩＤおよび枚数を通知する。
【０１０９】
紙幣入出金機１２０より入金された紙幣の金種ＩＤおよび枚数の通知を受けた本体制御部１１０は、ＬＣＤ１０４を介して、入金した紙幣の金種および枚数が正しいか否かを顧客に確認する。入金金額の確認は、第１の実施形態と同様、例えば図１４に示す入金内容確認画面６００により行うことができる。顧客は、入金内容確認画面６００に表示された入金金額を確認し、内容に誤りがなければ「確定」ボタン６２１を押下して、入金を確定させる。
【０１１０】
顧客により「確定」ボタン６２１が押下されると、本体制御部１１０は紙幣入出金機１２０に対して投入された紙幣の収納処理開始の指示を行う。紙幣の収納処理開始の指示を受けると、紙幣入出金機１２０は、紙幣を収納するカセットを特定する。カセットの特定は、カセット構成設定情報に基づき行うことができる。すなわち、紙幣入出金機１２０は、鑑別結果として取得した券種ＩＤに基づき、メモリ１２３を参照して、入金先のカセットを指定する入金グループを特定する。そして、紙幣入出金機１２０は、メモリ１２３に記憶されたカセット構成設定情報を参照して、特定した入金グループに対応するカセットを特定する。
【０１１１】
例えば、図２０に示すように、鑑別結果として券種ＩＤ「１１」の紙幣が１０枚入金されたことがわかっているとする。このとき、紙幣入出金機１２０は、メモリ１２３に記憶された通貨鑑別情報より、券種ＩＤ「１１」の紙幣の入金グループが「１」であることを特定する。そして、紙幣入出金機１２０は、メモリ１２３に記憶されたカセット構成設定情報を参照して、入金グループ「１」のカセットが「Ａカセット」であることを特定する。このようにして紙幣入出金機１２０は券種ＩＤ「１１」の紙幣を収納するカセットが「Ａカセット」であることを特定し、当該紙幣をＡカセットに収納する。
【０１１２】
なお、券種ＩＤ「１１」の紙幣は２００８年発行のＣＣ国金額１００の紙幣である。これに対して、券種ＩＤ「１０」の紙幣は２００４年発行のＣＣ国金額１００の紙幣である。券種ＩＤ「１０」の紙幣の入金グループは「８」であり、カセット構成設定情報より、入金グループ「８」の紙幣はＦカセットに収納されていることがわかる。このように、本実施形態に係る現金自動取引装置１では、同一の国・地域の発行年の異なる同一金額の紙幣も独立して管理することができる。
【０１１３】
（３−２−３．現金自動取引装置の出金処理）
次に、本実施形態に係る現金自動取引装置１による出金処理について、図２１に基づき説明する。出金処理は、顧客が操作部１０６を介して出金内容を入力することにより開始される。出金内容は、第１の実施形態と同様、例えば図１６に示すような出金内容入力画面７００を用いて行うことができる。
【０１１４】
顧客が出金内容を入力し出金処理が開始されると、本体制御部１１０は、顧客が入力した国・地域毎の金額から出金する紙幣の枚数を取扱通貨情報に基づき算出する。そして、本体制御部１１０は、紙幣入出金機１２０に対して出金する紙幣の金種ＩＤおよび枚数を通知する。例えば、紙幣入出金機１２０は、本体制御部１１０より「ＣＣ国の１００ｍｕＣ（金種ＩＤ＝７）を１０枚出金」という通知を受ける。
【０１１５】
紙幣入出金機１２０は、本体制御部１１０より出金内容の通知を受けると、出金対象の金種の紙幣が収納されているカセットがあるか否かを確認する。当該確認は、メモリ１２３の取扱通貨情報、通貨鑑別情報およびカセット構成設定情報に基づき行うことができる。取扱通貨情報の金種ＩＤには国・地域および金額が関連付けられており、また、通貨鑑別情報の国・地域および金額に対してはグループ情報が関連付けられている。そして、カセット構成設定情報よりグループ情報に対応するカセットを特定することができる。
【０１１６】
例えば、「ＣＣ国の１００ｍｕＣ（金種ＩＤ＝７）を１０枚出金」という通知に対して、紙幣入出金機１２０は、まず取扱通貨情報の金種ＩＤ「７」に関連付けられた国・地域名「ＣＣ」および金額「１００」を取得する。次いで、紙幣入出金機１２０は、通貨鑑別情報より、国・地域名「ＣＣ」、金額「１００」に関連付けられた券種ＩＤが２つ（券種ＩＤ「１０」と「１１」）あることがわかる。このとき、紙幣入出金機１２０は、出金可能なカセットに収納されている券種ＩＤのカセットを特定する。券種ＩＤ「１０」の出金グループは「８（入金用）」であり、券種ＩＤ「１１」の出金グループは「１（リサイクル）」である。したがって、紙幣入出金機１２０は、券種ＩＤ「１１」の紙幣が収納されているカセットであるＡカセットから、指定された枚数の紙幣をカセットから分離し、搬送路４０を介して接客部１０へ搬送する。
【０１１７】
以上、本実施形態に係る現金自動取引装置１の構成とその動作について説明した。本実施形態によれば、上位装置と現金自動取引装置１との間で使用する金種ＩＤに国・地域および金額を関連付けて一意に設定するとともに、現金自動取引装置１の紙幣入出金機１２０と鑑別部１２４との間で使用する券種ＩＤに国・地域、金額、発行年およびグループ情報を関連付けて一意に設定する。また、現金自動取引装置１に実装されるカセットに、カセット運用種別ＩＤと通貨グループとを関連付けて一意に設定する。このように情報を管理することで、複数国・地域の複数種類の通貨を１台の現金自動取引装置１で取り扱うことが可能となる。さらに、紙幣の発行年を管理することで、金額（額面）が同一でも発行年代が異なる通貨（すなわち、多年代にわたる通貨）を同時に取り扱うことが可能となる。
【０１１８】
＜４．第３の実施形態＞
次に、図２２〜図２６に基づいて、本発明の第３の実施形態に係る現金自動取引装置１の構成および動作について説明する。本実施形態に係る現金自動取引装置１は、第２の実施形態に係る現金自動取引装置１の機能に加えて、金額（額面）および発行年代は同じであるが発行銀行が異なる通貨を独立して取り扱うことができる。以下では、本実施形態に係る現金自動取引装置１について、第２の実施形態に係る現金自動取引装置１にさらに追加された機能について詳細に説明し、第２の実施形態に係る現金自動取引装置１と同一の構成・機能についての説明は簡潔に説明する。なお、図２２および図２３は、本実施形態に係る通貨鑑別情報設定ユーティリティ４００を示す説明図である。図２４は、通貨鑑別情報設定テーブルの一構成例を示す説明図である。図２５は、本実施形態に係る現金自動取引装置１による入金処理を示すタイミングチャートである。図２６は、本実施形態に係る現金自動取引装置１による出金処理を示すタイミングチャートである。
【０１１９】
［４−１．現金自動取引装置の構成］
本実施形態に係る現金自動取引装置１は、第１の実施形態と同様、図３に示すように構成され、図４に示す機能を備えている。このため、ここでは、現金自動取引装置１の構成についての説明は省略する。
【０１２０】
［４−２．現金自動取引装置の動作］
（４−２−１．取扱通貨の設定処理）
次に、本実施形態に係る現金自動取引装置１による取扱通貨の設定処理について説明する。本実施形態に係る現金自動取引装置１による取扱通貨の設定処理も、基本的には第１の実施形態と同様に図５に示すフローチャートに沿って行われるが、金額（額面）および発行年代が同一であるが発行銀行の異なる通貨を同時に取り扱うために、ステップＳ１１０およびＳ１１２の通貨鑑別情報処理のみ第２の実施形態と相違する。以下では、図５のフローチャートに沿って、通貨鑑別情報処理について詳細に説明する。
【０１２１】
図５に示すように、現金自動取引装置１による取引通貨の設定処理は、当該装置１の電源１０２がオンになったことを電源入力検出部１１１が検出して開始される（Ｓ１００）。電源入力検出部１１１は、電源１０２がオンになったことを検出すると、取扱通貨変更判定部１１２に対して取扱通貨が変更されるか否かを確認する指示を出力する。取扱通貨変更判定部１１２は、電源入力検出部１１１からの指示を受けると、行員による操作部１０６からの入力情報を確認し、取扱通貨の変更の有無を判定する（Ｓ１０２）。
【０１２２】
ステップＳ１０２にて取扱通貨を変更する入力情報があったと判定すると、取扱通貨変更判定部１１２は、設定処理部１１３に対して取扱通貨の設定変更処理を開始するよう指示する。当該指示を受けた設定処理部１１３は、行員による現金自動取引装置１の監査キーの操作を待って取扱通貨の設定変更処理を開始する。行員により監査キーが操作され、スーパーバイザーモードにされると（Ｓ１０４）、現金自動取引装置１の取扱が中止される。その後、設定処理部１１３は、取扱通貨設定ユーティリティ３００を起動する（Ｓ１０６）。
【０１２３】
取扱通貨設定ユーティリティ３００が起動されると、行員により取扱通貨設定ユーティリティ３００を利用して取扱通貨の設定が行われる（Ｓ１０８）。取扱通貨の設定では、金種ＩＤ、国・地域名、および金額（額面）の設定が行われる。ステップＳ１０８の処理は第１の実施形態と同一であるため、ここでは詳細な説明を省略する。
【０１２４】
ステップＳ１０８の処理により取扱通貨情報が設定されると、設定処理部１１３は、通貨鑑別情報設定ユーティリティ４００を起動する（Ｓ１１０）。通貨鑑別方法設定ユーティリティ４００が起動されると、行員により通貨鑑別情報設定ユーティリティ４００を利用して通貨鑑別情報の設定が行われる（Ｓ１１２）。通貨鑑別情報の設定では、券種ＩＤ、国・地域名、金額（額面）、発行銀行の銀行コード、発行年およびグループの設定が行われる。券種ＩＤ、国・地域名、金額（額面）、発行年、およびグループの設定は、第１および第２の実施形態と同様に設定することができる。
【０１２５】
本実施形態では、通貨鑑別情報として紙幣の発行銀行の銀行コードを管理することを特徴とする。銀行コードは、現金自動取引装置１で取り扱う券種ＩＤについて設定することができる情報であり、例えば発行銀行に対してユニークな値を設定できる。銀行コードの値は予め設定され、ハードディスクドライブ１１５に記憶されているものとする。銀行コードは、例えば図２２に示す通貨鑑別情報設定ユーティリティ４００の銀行コード４１６ａの入力ボックス内に行員が直接入力することで設定できる。
【０１２６】
国・地域名４１２、金額４１３、銀行コード４１６ａ、発行年４１６ｂ、およびグループ情報４１４、４１５の入力は、現金自動取引装置１にて取り扱う通貨の数だけ繰り返し行われる。設定された内容は、確定ボタン４３１を押下することで確定される。確定ボタン４３１が押下されると、設定処理部１１３は、設定した内容を取扱通貨情報として本体制御部１１０のメモリ１１６に記録する。また、設定処理部１１３は、取扱通貨情報を紙幣入出金機１２０へも出力し、紙幣入出金機１２０のメモリ１２３および鑑別部１２４のメモリ１２４ｂにも同様に記憶させる（Ｓ１１４）。これにより、本体制御部１１０のメモリ１１６、紙幣入出金機１２０のメモリ１２３および鑑別部１２４のメモリ１２４ｂには、券種ＩＤ４１１、国・地域名４１２、金額４１３、銀行コード４１６ａ、発行年４１６ｂ、およびグループ情報４１４、１４５が関連付けられた通貨鑑別情報が、例えば図１９に示すように記憶されることになる。すなわち、券種ＩＤ４１１に対して、国・地域名４１２、金額４１３、銀行コード４１６ａ、発行年４１６ｂ、およびグループ情報４１４、４１５が一意に定まるようになる。
【０１２７】
図２４に示す通貨鑑別情報では、６カ国３４種類の通貨について取扱可能に設定されており、同一金額（同一額面）、同一発行年代で発行銀行の異なる通貨まで詳細に分類すると、４５種類の通貨を取扱可能に設定されている。例えば、券種ＩＤ「１１」と「１２」に、２００８年発行のＣＣ国金額１００の紙幣が設定されている。券種ＩＤ「１１」の紙幣は銀行コードが「１」であり、券種ＩＤ「１２」の紙幣は銀行コードが「２」である。このうち、銀行コード「１」の紙幣はリサイクルさせ、銀行コード「２」の紙幣は回収するためリサイクルさせないことから、グループ情報４１４、４１５には異なる値が設定されている。
【０１２８】
図５の説明に戻り、ステップＳ１１２の処理により通貨鑑別情報が設定されると、設定処理部１１３は、カセット構成設定ユーティリティ５００を起動する（Ｓ１１６）。カセット構成設定ユーティリティ５００が起動されると、行員によりカセット構成設定ユーティリティ５００を利用してカセット構成の設定が行われる（Ｓ１１８）。カセット構成の設定では、運用種別およびグループの設定が行われる。カセット構成の設定処理は第１の実施形態と同様であるため、ここでは詳細な説明を省略する。
【０１２９】
ステップＳ１２０の処理によりカセット構成設定情報が設定されると、取扱通貨の設定処理は完了する。その後、行員により現金自動取引装置１の監査キーが操作され、スーパーバイザーモードが解除されると（Ｓ１２２）、取扱通貨変更判定部１１２は、現金自動取引装置１の取扱を再開し、通常運用とする（Ｓ１２４）。
【０１３０】
ステップＳ１０２で取扱通貨の変更があると判定された場合には上述のようにステップＳ１０４〜Ｓ１２２の処理が行われる。一方、ステップＳ１０２で取扱通貨の変更がないと判定された場合には、取扱通貨変更判定部１１２は、メモリ１１６に記憶されている現金自動取引装置１の現在の取扱通貨に関する通貨鑑別情報を、インタフェース部１１４を介して紙幣入出金機１２０へ出力する（Ｓ１２６）。また、取扱通貨変更判定部１１２は、メモリ１１６に記憶されている現金自動取引装置１の現在のカセット構成設定情報を、インタフェース部１１４を介して紙幣入出金機１２０へ出力する（Ｓ１２８）。これらの処理は第１の実施形態と同様に行うことができる。そして、各情報が紙幣入出金機１２０に記憶されると、現金自動取引装置１は通常運用を開始する（Ｓ１２４）。
【０１３１】
以上、本実施形態に係る現金自動取引装置１による取扱通貨の設定処理について説明した。
【０１３２】
（４−２−２．現金自動取引装置の入金処理）
上述した取扱通貨の設定処理が完了すると、１台の現金自動取引装置１で設定した複数国・地域の複数種類の通貨を同時に取り扱うことが可能となる。さらに、同一の国・地域で、同一発行年、同一金額であるが発行銀行の異なる通貨も同時に、かつ独立して取り扱うことも可能である。まず、本実施形態に係る現金自動取引装置１による入金処理について、図２５に基づき説明する。
【０１３３】
ここで、本実施形態では、現金自動取引装置１のカセットは、下記表３のように設定されているとする。
【０１３４】
【表３】
0006019561.tif 000004
【０１３５】
入金処理は、顧客が図３の接客部１０に紙幣をセットし、入金処理開始を指示することで開始される。入金処理開始の指示を受けると、紙幣入出金機１２０は、接客部１０にセットされた紙幣を１枚ずつ分離し、搬送路４０を介して鑑別部３０（図４の符号１２４に対応）へ搬送する。鑑別部３０は、搬送されてきた紙幣の金額（額面）、真偽、サイズ、厚さ等について鑑別する。接客部１０にセットされた全て紙幣について鑑別が終了すると、鑑別結果として、図２５に示すように、券種ＩＤと当該券種ＩＤの紙幣の枚数とが取得される。鑑別部１２４は、紙幣入出金機１２０に対して、鑑別結果、すなわち券種ＩＤとその枚数を通知する。
【０１３６】
紙幣入出金機１２０は、メモリ１２３に記憶された通貨鑑別情報を参照し、鑑別結果として通知された券種ＩＤに基づいて当該券種ＩＤに対応する国・地域名、金額およびグループ情報を特定する。ここで、国・地域名および金額に対しては取扱通貨情報により金種ＩＤが一意に設定されているので、紙幣入出金機１２０は、メモリ１２３を参照して入金された紙幣の金種ＩＤを特定し、本体制御部１１０に対して入金された紙幣の金種ＩＤおよび枚数を通知する。
【０１３７】
紙幣入出金機１２０より入金された紙幣の金種ＩＤおよび枚数の通知を受けた本体制御部１１０は、ＬＣＤ１０４を介して、入金した紙幣の金種および枚数が正しいか否かを顧客に確認する。入金金額の確認は、第１の実施形態と同様、例えば図１４に示す入金内容確認画面６００により行うことができる。顧客は、入金内容確認画面６００に表示された入金金額を確認し、内容に誤りがなければ「確定」ボタン６２１を押下して、入金を確定させる。
【０１３８】
顧客により「確定」ボタン６２１が押下されると、本体制御部１１０は紙幣入出金機１２０に対して投入された紙幣の収納処理開始の指示を行う。紙幣の収納処理開始の指示を受けると、紙幣入出金機１２０は、紙幣を収納するカセットを特定する。カセットの特定は、カセット構成設定情報に基づき行うことができる。すなわち、紙幣入出金機１２０は、鑑別結果として取得した券種ＩＤに基づき、メモリ１２３を参照して、入金先のカセットを指定する入金グループを特定する。そして、紙幣入出金機１２０は、メモリ１２３に記憶されたカセット構成設定情報を参照して、特定した入金グループに対応するカセットを特定する。
【０１３９】
例えば、図２５に示すように、鑑別結果として券種ＩＤ「１１」の紙幣が１０枚入金されたことがわかっているとする。このとき、紙幣入出金機１２０は、メモリ１２３に記憶された通貨鑑別情報より、券種ＩＤ「１１」の紙幣の入金グループが「１」であることを特定する。そして、紙幣入出金機１２０は、メモリ１２３に記憶されたカセット構成設定情報を参照して、入金グループ「１」のカセットが「Ａカセット」であることを特定する。このようにして紙幣入出金機１２０は券種ＩＤ「１１」の紙幣を収納するカセットが「Ａカセット」であることを特定し、当該紙幣をＡカセットに収納する。
【０１４０】
なお、券種ＩＤ「１１」の紙幣は２００８年発行のＣＣ国金額１００の紙幣であり、発行銀行の銀行コードは「１」である。これに対して、券種ＩＤ「１２」の紙幣は、券種ＩＤ「１１」と同じ２００８年発行のＣＣ国金額１００の紙幣であるが、発行銀行の銀行コードが「２」である。このように、同一の国・地域の、同一金額、同一発行年の紙幣であるが発行銀行の異なる紙幣を独立した券種ＩＤで管理することで、これらの紙幣を異なる収納カセットで管理することが可能となる。
【０１４１】
（４−２−３．現金自動取引装置の出金処理）
次に、本実施形態に係る現金自動取引装置１による出金処理について、図２６に基づき説明する。出金処理は、顧客が操作部１０６を介して出金内容を入力することにより開始される。出金内容は、第１の実施形態と同様、例えば図１６に示すような出金内容入力画面７００を用いて行うことができる。
【０１４２】
顧客が出金内容を入力し出金処理が開始されると、本体制御部１１０は、顧客が入力した国・地域毎の金額から出金する紙幣の枚数を取扱通貨情報に基づき算出する。そして、本体制御部１１０は、紙幣入出金機１２０に対して出金する紙幣の金種ＩＤおよび枚数を通知する。例えば、紙幣入出金機１２０は、本体制御部１１０より「ＣＣ国の１００ｍｕＣ（金種ＩＤ＝７）を１０枚出金」という通知を受ける。
【０１４３】
紙幣入出金機１２０は、本体制御部１１０より出金内容の通知を受けると、出金対象の金種の紙幣が収納されているカセットがあるか否かを確認する。当該確認は、メモリ１２３の取扱通貨情報、通貨鑑別情報およびカセット構成設定情報に基づき行うことができる。取扱通貨情報の金種ＩＤには国・地域および金額が関連付けられており、また、通貨鑑別情報の国・地域および金額に対してはグループ情報が関連付けられている。そして、カセット構成設定情報よりグループ情報に対応するカセットを特定することができる。
【０１４４】
例えば、「ＣＣ国の１００ｍｕＣ（金種ＩＤ＝７）を１０枚出金」という通知に対して、紙幣入出金機１２０は、まず取扱通貨情報の金種ＩＤ「７」に関連付けられた国・地域名「ＣＣ」および金額「１００」を取得する。次いで、紙幣入出金機１２０は、通貨鑑別情報より、国・地域名「ＣＣ」、金額「１００」に関連付けられた券種ＩＤが３つ（券種ＩＤ「１０」、「１１」および「１２」）あることがわかる。このとき、紙幣入出金機１２０は、出金可能なカセットに収納されている券種ＩＤのカセットを特定する。券種ＩＤ「１０」および「１２」の出金グループは「８（入金用）」であり、券種ＩＤ「１１」の出金グループは「１（リサイクル）」である。したがって、紙幣入出金機１２０は、券種ＩＤ「１１」の紙幣が収納されているカセットであるＡカセットから、指定された枚数の紙幣をカセットから分離し、搬送路４０を介して接客部１０へ搬送する。
【０１４５】
以上、本実施形態に係る現金自動取引装置１の構成とその動作について説明した。本実施形態によれば、上位装置と現金自動取引装置１との間で使用する金種ＩＤに国・地域および金額を関連付けて一意に設定するとともに、現金自動取引装置１の紙幣入出金機１２０と鑑別部１２４との間で使用する券種ＩＤに国・地域、金額、発行銀行、発行年およびグループ情報を関連付けて一意に設定する。また、現金自動取引装置１に実装されるカセットに、カセット運用種別ＩＤと通貨グループとを関連付けて一意に設定する。このように情報を管理することで、複数国・地域の複数種類の通貨を１台の現金自動取引装置１で取り扱うことが可能となる。さらに、紙幣の発行年を管理することで、金額（額面）が同一でも発行年代が異なる通貨（すなわち、多年代にわたる通貨）を同時に取り扱うことが可能となる。また、同一の国・地域の、同一金額、同一発行年であって、発行銀行の異なる通貨も同時に取り扱うことが可能である。
【０１４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４７】
例えば、上記実施形態では、現金自動取引装置の紙幣入出金機に適用した例を説明したが、本発明はかかる例に限定されない。例えば、現金自動取引装置の硬貨入出金機に適用してもよい。
【符号の説明】
【０１４８】
１        現金自動取引装置
１０２    電源
１０４    ＬＣＤ
１０６    操作部
１１０    本体制御部
１１１    電源入力検出部
１１２    取扱通貨変更判定部
１１３    設定処理部
１１４    インタフェース部
１１５    ハードディスクドライブ
１１６    メモリ
１２０    紙幣入出金機
１２１    インタフェース部
１２２    設定部
１２３    メモリ
１２４    鑑別部
１２４ａ  鑑別処理部
１２４ｂ  メモリ
１３０    カードリーダ
１４０    レシートプリンタ
【図１】
0006019561.tif 000005
【図２】
0006019561.tif 000006
【図３】
0006019561.tif 000007
【図４】
0006019561.tif 000008
【図５】
0006019561.tif 000009
【図６】
0006019561.tif 000010
【図７】
0006019561.tif 000011
【図８】
0006019561.tif 000012
【図９】
0006019561.tif 000013
【図１０】
0006019561.tif 000014
【図１１】
0006019561.tif 000015
【図１２】
0006019561.tif 000016
【図１３】
0006019561.tif 000017
【図１４】
0006019561.tif 000018
【図１５】
0006019561.tif 000019
【図１６】
0006019561.tif 000020
【図１７】
0006019561.tif 000021
【図１８】
0006019561.tif 000022
【図１９】
0006019561.tif 000023
【図２０】
0006019561.tif 000024
【図２１】
0006019561.tif 000025
【図２２】
0006019561.tif 000026
【図２３】
0006019561.tif 000027
【図２４】
0006019561.tif 000028
【図２５】
0006019561.tif 000029
【図２６】
0006019561.tif 000030